(57)【要約】【課題】  本願発明は、簡単な構造で製造コストが安いバインド巻付け及び巻外し器を提供するものである。  【解決手段】  螺旋状の取付部２２０を備えるバインド２００を、電線Ｗ等に巻付け及び巻外しを行うバインド巻付け及び巻外し器１００であって、Ｗ電線とバインド２００の取付部２２０との間に差し込み、電線Ｗの軸周りに沿って回転可能な回転棒１２０と、渦巻き形状のガイド部１１０と、を備え、ガイド部１１０の周囲に沿って、電線Ｗを移動させながら、回転棒１２０が電線Ｗの軸周りに回転することで、バインド２００の巻付け及び巻外しを行うことを特徴とする。【選択図】図１
2016082833.tif 000002
【特許請求の範囲】
【請求項１】
螺旋状の取付部を備えるバインドを、電線等に巻付け及び巻外しを行うバインド巻付け及び巻外し器であって、
前記電線と前記バインドの取付部との間に差し込み、前記電線の軸周りに沿って回転可能な回転棒と、
渦巻き形状のガイド部と、を備え、
前記ガイド部の周囲に沿って、前記電線を移動させながら、前記回転棒が前記電線の軸周りに回転することで、前記バインドの巻付け及び巻外しを行うことを特徴とするバインド巻付け及び巻外し器。
【請求項２】
前記回転棒の先端が、フック形状であることを特徴とする請求項１に記載のバインド巻付け及び巻外し器。
【発明の詳細な説明】
【技術分野】
【０００１】
本願発明は、高架電線等を電柱の碍子等に固定するプレフォームドバインド線の処理工具に関する。
【０００２】
具体的には、プレフォームドバインド線を電線、碍子等に巻付け或は巻き外す際に、その工具として用いるバインド巻付け及び巻外し用の工具に関する。
【背景技術】
【０００３】
従来から、高所に位置する碍子等の電線保持具に高架電線を固定する固定金具として、予め全体が螺旋状に成形された、いわゆる被覆付きプレフォームドバインド線（以下、単にバインドという。）が使用されている。
【０００４】
このバインドは、樹脂被覆の鋼線で形成され、電線保持具や巻付けられる電線の外径等に応じて螺旋径が異なるものが使用されている。そして、高所での巻付け又は巻外し作業に際しては、通常、無停電の活線状態下で作業者が電線に触れることなく安全に作業を行い得るように、ホットスティック工法により行われる。
【０００５】
そして、このバインドの巻き付け及び巻き外し作業を容易に行えるように、バインド巻付け及び巻外し用コマ並びに該コマの駆動工具が（例えば、特許文献１）、利用されてきた。
【０００６】
このバインド巻付け及び巻外し用コマ１（特許文献１の明細書内で使用されている符号を付している。以下、特許文献１の技術については同様に符号を付す。）は、電線の略半周面を支持するベースコマ２と、電線の残り周面を支持するとともに、ベースコマ２とで電線を挟持する挟持コマ３を備えている。さらに、この挟持コマ３の一端部にはバインド巻付け棒１６が、挟持コマ３の他端部にはバインド巻外し棒１３が取り付けられている。
【０００７】
作業時には、まず、バインド巻付け及び巻外し用コマ１のベースコマ２と挟持コマ３とで、電線を上下から挟持する。そして、この挟持した状態で、バインド巻付け及び巻外し用コマ１に、コマ駆動工具３０を装着し、外部のモータ等の動力源から、コマ駆動工具３０に回転駆動力を伝達する。すると、このコマ駆動工具３０が、バインド巻付け及び巻外し用コマ１を任意の方向へ回転させ、該コマ１のバインド巻付け棒１６又はバインド巻外し棒１３が、電線軸周りに回転しながら、バインドの巻き付け又は巻き外しを行う。
【０００８】
しかしながら、この特許文献１に示す従来技術では、バインドの巻き付け又は巻き外しをするために、バインド巻付け及び巻外し用コマ１にコマ駆動工具３０を装着し、さらに、外部のモータ等の動力源に連結する必要があるため、作業に必要な器具を複数準備しなければならず、その構造も複雑となることから、器具自体の製造コストが高いという問題があった。
【先行技術文献】
【特許文献】
【０００９】
【特許文献１】特開２０１０−１１６７５号
【発明の概要】
【発明が解決しようとする課題】
【００１０】
そこで、本願発明は、上記問題に鑑み、簡単な構造で製造コストが安いバインド巻付け及び巻外し器を提供するものである。
【課題を解決するための手段】
【００１１】
上記課題を解決するために、本願発明のバインド巻付け及び巻外し器は、螺旋状の取付部を備えるバインドを、電線等に巻付け及び巻外しを行うバインド巻付け及び巻外し器であって、前記電線と前記バインドの取付部との間に差し込み、前記電線の軸周りに沿って回転可能な回転棒と、渦巻き形状のガイド部と、を備え、前記ガイド部の周囲に沿って、前記電線を移動させながら、前記回転棒が前記電線の軸周りに回転することで、前記バインドの巻付け及び巻外しを行うことを特徴とする。
【００１２】
上記特徴によれば、バインドの巻付け及び巻外し作業が、電線の軸周りに沿って回転可能な回転棒と、渦巻き形状のガイド部の２つの部材によって実現でき、さらに、これらの２つの部材は、非常に簡単な構造なので、その製造コストも極めて安い。
【００１３】
さらに、ガイド部は渦巻き形状をしているので、当該渦巻き形状の末端部から先端部の長い区間に亘り、電線を移動させながら、回転棒が電線の軸周りに回転するので、より多くの螺旋部分の巻き外し及び巻き付けが可能となる。
【００１４】
さらに、本願発明のバインド巻付け及び巻外し器は、回転棒の先端がフック形状であることを特徴としている。
【００１５】
上記特徴によれば、バインドの巻付け及び巻外し作業時に、電線に回転棒を係止させながら、バインド巻付け及び巻外し器を電線周りに移動させることができるので、作業が非常に行いやすい。
【発明の効果】
【００１６】
本願発明のバインド巻付け及び巻外し器は、簡単な構造で、尚且つ製造コストを安く抑えることができる。
【図面の簡単な説明】
【００１７】
【図１】（ａ）は本願発明のバインド巻付け及び巻外し器の左側面図、（ｂ）はバインドの正面図である。
【図２】（ａ）は本願発明のバインド巻付け及び巻外し器によって、電線にバインドを巻き付ける作業を示す斜視図、（ｂ）はバインドの螺旋部分が進行する方向を現した概念図である。
【図３】（ａ）から（ｄ）は本願発明のバインド巻付け及び巻外し器によって、電線にバインドを巻き付ける作業を示す右側面図である。
【図４】（ａ）から（ｄ）は本願発明のバインド巻付け及び巻外し器によって、電線にバインドを巻き付ける作業を示す右側面図である。
【図５】本願発明のバインド巻付け及び巻外し器によって、電線にバインドを巻き付ける作業を示す斜視図である。
【図６】（ａ）と（ｂ）は本願発明のバインド巻付け及び巻外し器によって、電線にバインドを巻き付ける作業を示す右側面図である。
【図７】（ａ）は電線に巻き付けられたバインドを、本願発明のバインド巻付け及び巻外し器によって巻き外す作業を示す斜視図、（ｂ）はバインドの螺旋部分が進行する方向を現した概念図である。
【図８】（ａ）から（ｄ）は電線に巻き付けられたバインドを、本願発明のバインド巻付け及び巻外し器によって、巻き外す作業を示す左側面図である。
【図９】（ａ）から（ｄ）は電線に巻き付けられたバインドを、本願発明のバインド巻付け及び巻外し器によって、巻き外す作業を示す左側面図である。
【図１０】電線に巻き付けられたバインドを、本願発明のバインド巻付け及び巻外し器によって巻き外す作業を示す斜視図である。
【図１１】（ａ）から（ｄ）は電線に巻き付けられたバインドを、本願発明のバインド巻付け及び巻外し器によって、巻き外す作業を示す左側面図である。
【符号の説明】
【００１８】
１００        バインド巻付け及び巻外し器
１１０        ガイド部
１２０        回転棒
２００        バインド
２２０        取付部
Ｗ            電線
【発明を実施するための形態】
【００１９】
以下に、本願発明の実施の形態について、図面を用いて説明する。
【００２０】
まず、本願発明のバインド巻付け及び巻外し器１００の構成について、図１（ａ）を参照して、説明する。このバインド巻付け及び巻外し器１００は、主に、ガイド部１１０と、回転棒１２０、回転棒１３０、及び回転棒１４０とから構成される。ガイド部１１０は、棒状の金属等を図１（ａ）に示すような「渦巻き」形状に湾曲させて形成したものであり、後述するように電線に宛がって使用する。また、ガイド部１１０の先端部１１５には、回転棒１２０から回転棒１４０を回転可能に軸支する回転軸１１１が、ガイド部１１０の末端部１１３には、操作棒を連結する連結部１１２が備えられている。
【００２１】
また、回転棒１２０、回転棒１３０、及び回転棒１４０は、棒状の金属等を短く切断したもので、その先端を薄く潰してフック状にした、先端部１２１、先端部１３１、先端部１４１を備えている。先端部１２１は、電線に係止しやすいように、略Ｕ字状に大きく湾曲させたもので、先端部１３１は先端部１２１に比べると、湾曲した部分を少なくしたものである。また、先端部１４１は、先端を細く尖らせたものである。
【００２２】
さらに、回転棒１２０、回転棒１３０、及び回転棒１４０の各末端部は、溶接等によって互いに連結されると共に、回転軸１１１によって軸支されている。そのため、回転棒１２０から回転棒１４０は、ガイド部１１０の略中央（言い換えると、渦巻き形状の中央）にある回転軸１１１を中心に、時計回り又は反時計回りのいずれにも自由に回転することができる。
【００２３】
次に、本願発明の作業対象物であるバインド２００について、図１（ｂ）を参照して説明する。このバインド２００は、金属線を図１（ｂ）に示すような形状に、屈曲形成したもので、具体的には、略く字状に曲げられた中央部２１０及び、螺旋状に曲げられた一対の取付部２２０Ｒと取付部２２０Ｌからなる。この取付部２２０Ｒと取付部２２０Ｌは、中央部２１０の端部から離れるように螺旋状に伸びており、電線に絡みつくように屈曲させている。また、取付部２２０Ｒと取付部２２０Ｌの螺旋巻き方向は同一で、各螺旋部分の内径は、電線の外径より小さい、又は同じになるようにしてあるので、電線に強固に巻き付いて、その巻き付いた位置姿勢を維持できる。
【００２４】
また、このバインド２００の金属線は、防錆あるいは耐候性樹脂被覆された鋼線であるが、これに限定されず、亜鉛メッキやニッケルメッキなどの防錆メッキされた鋼線や、被覆された銅合金線、アルミ合金線や、アルミ覆線（鋼線の外周にアルミ被覆を施した線）であってもよく、また、金属でない合成樹脂線（例えば、ガラス繊維入り強化プラスチック）であってもよい。ただし、いずれの素材線の場合でも、バインド２００は、電線に巻き付ける前においては、外力によって変形させられても変形前の螺旋状態へ復元可能な弾性と、電線への巻き付け後においては、その巻き付け状態を維持する弾性と強度が求められる。
【００２５】
では、次に、図２から図６を参照して、本願発明のバインド巻付け及び巻外し器１００を使って、バインド２００の巻き付け作業を行うことについて説明する。なお、電線Ｗは電柱等の間に張られて固定されている。また、図２から図６では、電線Ｗにバインド２００の取付部２２０Ｒを巻き付ける方法について説明するが、同様の方法で、取付部２２０Ｌも電線Ｗに巻き付けることができる。
【００２６】
まず、螺旋状をした取付部２２０Ｒは、電線Ｗに巻き付ける前の状態で正面から見ると、図２（ａ）に示すように、谷部と山部が連続した形状をしており、説明の都合上、先端側から各頂点に、頂部２２１Ｒ、頂部２２２Ｒ、頂部２２３Ｒ、頂部２２４Ｒ、頂部２２５Ｒ、頂部２２６Ｒと符号を付ける。さらに、この取付部２２０Ｒを、電線Ｗの中心軸方向であって、取付部２２０Ｒの右側面から見た状態を図２（ｂ）に示す。この図２（ｂ）は、取付部２２０Ｒの螺旋部分が進行する方向を現した概念図であり、頂部２２６Ｒを始点として、時計回りに頂部２２１Ｒまで螺旋を描きながら、進んでいるのがわかる。なお、図２（ｂ）では、説明の都合上、各頂部が重ならないように、螺旋が広がる（拡径する）ように、表している。
【００２７】
そして、後述する取付部２２０Ｒの巻き付け作業では、この取付部２２０Ｒの螺旋方向（本実施では、時計回り）に、回転棒１２０や回転棒１３０を回転させることで、頂部２２６Ｒから順次、取付部２２０Ｒを電線Ｗに巻き付けていくのである。
【００２８】
では、実際に、バインド巻付け及び巻外し器１００を用いて、取付部２２０Ｒを巻き付ける作業について説明する。
【００２９】
まず、ユーザは、活線把持具Ｇによって、バインド２００の中央部２１０を把持し、上方から頂部２２６Ｒを電線Ｗに引っ掛ける。そして、バインド巻付け及び巻外し器１００の連結部１１２に連結された操作棒Ｓを手で持ち、取付部２２０Ｒの螺旋部分と電線Ｗとの間に、回転棒１３０を差し込む。
【００３０】
この状態を、電線Ｗの中心軸方向であって、バインド巻付け及び巻外し器１００の右側面側から見た状態（図２（ａ）の矢印Ｙ方向から見た状態）を、図３（ａ）に示す。なお、図３から図１１では、回転棒１２０や回転棒１３０と接触している取付部の螺旋部分を、バインド接点Ｐで表す。
【００３１】
図３（ａ）に示すように、電線Ｗと取付部２２０Ｒの螺旋の一部であるバインド接点Ｐとの間には、本体棒１３２が差し込まれている。なお、電線Ｗに既に係止させた頂部２２６Ｒを仮想線にて示している。
【００３２】
そして、この状態で、バインド巻付け及び巻外し器１００を取付部２２０Ｒの螺旋方向（本実施では、時計回り）に、略半周させると、図３（ｂ）に示す状態となる。この移動に伴い、バインド接点Ｐは本体棒１３２に押され、電線Ｗの周囲を時計回りに移動して、電線Ｗに巻き付けられる。
【００３３】
さらに、電線Ｗに係止させた先端部１３１を中心に、バインド巻付け及び巻外し器１００を取付部２２０Ｒの螺旋方向（本実施では、時計回り）に４分の１周させると、図３（ｃ）に示す状態となり、さらに同じ向きに４分の１周させると、図３（ｄ）に示す状態となる。この移動に伴い、回転軸１１１で回転可能に軸支された回転棒１３０は、固定された電線Ｗの表面に接触しながら、時計回りに回転することなる。そして、バインド接点Ｐは回転棒１３０の本体棒１３２に押されて、電線Ｗの周囲を時計回りに移動して、電線Ｗに巻き付けられていく。
【００３４】
また、図３（ａ）から（ｄ）にかけて、バインド接点Ｐは電線Ｗの周囲を略一周した。そして、図３（ｄ）には、仮想線で、頂部２２６Ｒ、頂部２２５Ｒ、頂部２２４Ｒの位置を示したが、取付部２２０Ｒが、頂部２２６Ｒから頂部２２４Ｒまでの略一周分だけ、電線Ｗに巻き付けられたことがわかる。
【００３５】
なお、図３（ｄ）に示すように、ガイド部１１０の末端部１１３に電線Ｗが接触しているので、これ以上、時計回りにバインド巻付け及び巻外し器１００を移動させることができない。そこで、バインド巻付け及び巻外し器１００を電線Ｗの下方へ向けて引っ張る。すると、図４（ａ）に示すように、電線Ｗがガイド部１１０の内周面１１４に向けて移動する。この内周面１１４は、螺旋方向と同じ向きに渦巻いている。なお、図４（ａ）に示す内周面１１４と図４（ａ）に示す内周面１１４は、渦巻き方向が異なって見える。その理由は、図４（ａ）と図４（ａ）とでは、内周面１１４を見ている方向が、内周面１１４の左側面か右側面かで異なるからである。
【００３６】
そして、ユーザは、電線Ｗが内周面１１４上を時計回りに移動するように、バインド巻付け及び巻外し器１００を手前に引っ張ると、図４（ｂ）に示す状態となる。
【００３７】
引き続き、電線Ｗが内周面１１４上を時計回りに移動するように、バインド巻付け及び巻外し器１００を下側に引っ張ると、図４（ｃ）に示す状態となり、さらに、電線Ｗが先端部１１５まで移動するように、バインド巻付け及び巻外し器１００を後側に押し込むと、図４（ｄ）に示す状態となる。すると、図４（ｂ）から（ｄ）にかけて、時計周りに移動する本体棒１３２により、取付部２２０Ｒの螺旋部分が電線Ｗに巻き付いていく。そして、巻き付いていくのに伴って、バインド接点Ｐが電線Ｗの周りを時計回りに移動しているのがわかる。
【００３８】
なお、図４（ａ）から（ｄ）にかけて、バインド接点Ｐは電線Ｗの周囲を略一周した。そして、図４（ｄ）には、仮想線で、頂部２２６Ｒ、頂部２２５Ｒ、頂部２２４Ｒ、頂部２２３Ｒの位置を示したが、取付部２２０Ｒが、頂部２２６Ｒから頂部２２３Ｒまでの略一周半だけ、電線Ｗに巻き付けられているのがわかる。
【００３９】
ここで、電線Ｗが内周面１１４に沿って移動していくと、なぜ、本体棒１３２が時計回りに移動して、取付部２２０Ｒの螺旋部分を電線Ｗに巻き付けていくのかについて説明する。
【００４０】
まず、図４（ａ）に示す状態では、螺旋状の取付部２２０Ｒは、電線Ｗに略一周分巻き付いているので、バインド接点Ｐに電線Ｗから離れる方向へ力を加えても、図４（ａ）に示す位置から移動しない。そのため、バインド接点Ｐは本体棒１３２に当接した状態を維持する。また、バインド接点Ｐは電線Ｗから一定の距離以上離れることが出来ないが、螺旋状であるから、自身の弾性により、電線Ｗの周方向へは移動することができる。
【００４１】
そして、この状態のままで、ユーザがバインド巻付け及び巻外し器１００を手前に引くと、電線Ｗが内周面１１４上を時計回りに移動する。一方、バインド接点Ｐは、図４（ａ）に示す位置から動かないので、本体棒１３２は、バインド接点Ｐに邪魔をされ、バインド巻付け及び巻外し器１００に伴って手前側に移動することができない。そのため、本体棒１３２は、先に移動した電線Ｗへ向けてしか移動できず、その結果、本体棒１３２は、電線Ｗの表面に接点Ｂで接触したまま、回転軸１１１を中心に、電線Ｗの周りを時計回りに移動することになる。そして、本体棒１３２によって、バインド接点Ｐは電線Ｗの周方向へ時計回りに移動させられ、電線Ｗに巻き付いていくのである。
【００４２】
同様に、図４（ｂ）に示す状態で、ユーザがバインド巻付け及び巻外し器１００を下側に引っ張ると、電線Ｗが内周面１１４上を時計回りに移動するが、一方、バインド接点Ｐは、図４（ｂ）に示す位置から動かないので、本体棒１３２は、バインド接点Ｐに邪魔をされ、バインド巻付け及び巻外し器１００に伴って下側へ移動することができない。そのため、本体棒１３２は、先に移動した電線Ｗへ向けてしか移動できず、その結果、電線Ｗの表面に接点Ｂで接触したまま、回転軸１１１を中心に、電線Ｗの周りを時計回りに移動することになる。そして、本体棒１３２によって、バインド接点Ｐは電線Ｗの周方向へ時計回りに移動させられ、電線Ｗに巻き付いていくのである。
【００４３】
このように、ガイド部１１０は、末端部１１３から先端部１１５にかけて、電線Ｗの周囲を周回するような渦巻き形状をしているので、末端部１１３から先端部１１５までの長い区間に亘り、ガイド部１１０の周囲に沿って、電線Ｗを時計回りに誘導することができる。
【００４４】
具体的には、図３（ａ）から（ｄ）に示すように、末端部１１３付近を移動開始地点として、電線Ｗをガイド部１１０の外周面に沿うように時計回り（螺旋方向）に誘導し、次に、図４（ａ）から（ｄ）に示すように、電線Ｗをガイド部１１０の内周面に沿うように時計回り（螺旋方向）に誘導することができ。
【００４５】
そして、図３から図４に示す移動の間、回転棒１３０は電線Ｗの軸周りに沿って時計回りに移動するので、バインドの螺旋部分が電線Ｗに巻き付くのである。つまり、ガイド部１１０は、電線Ｗの周囲を周回するような渦巻き形状をしているので、より多くの螺旋部分を巻き付けていくことができる。
【００４６】
なお、図４（ｄ）に示す状態からでは、電線Ｗが先端部１１５に当接して、これ以上巻き付けていくことが出来ない。そこで、図５に示すように、一度、回転棒１３０を電線Ｗから離脱させ、回転棒１３０の代わりに、回転棒１２０を頂部２２１Ｒと電線Ｗとの間に差し込む。なお、図５に示すように、取付部２２０Ｒは、頂部２３３Ｒまで巻き付いている。
【００４７】
この状態を、電線Ｗの中心軸方向であって、バインド巻付け及び巻外し器１００の右側面から見た状態（図５の矢印Ｙ方向から見た状態）を、図６（ａ）に示す。
【００４８】
図６（ａ）に示すように、電線Ｗと頂部２２１Ｒの間には、回転棒１２０の本体棒１２２が差し込まれている。そして、バインド巻付け及び巻外し器１００を、電線Ｗに係止した先端部１２１を中心として、取付部２２０Ｒの螺旋方向と同じ方向（本実施では、時計回り）に移動させると、図６（ｂ）に示す状態となる。すると、電線Ｗに未だ巻き付いていない取付部２２０Ｒの頂部２２１Ｒが、本体棒１２２により時計回りに押されるようにして、電線Ｗへ巻き付き、取付部２２０Ｒ全体が電線Ｗに完全に巻き付くことになる。
【００４９】
では、次に、図７から図１１を参照して、本願発明のバインド巻付け及び巻外し器１００を使って、バインド２００の巻き外し作業を行うことについて説明する。なお、不図示であるが、バインド２００の取付部２２０Ｒも同様に電線Ｗに巻き付けられており、電線Ｗは電柱等の間に張られて固定されている。また、図７から図１１では、電線Ｗに巻き付けられたバインド２００の取付部２２０Ｌを巻き外す方法について説明するが、同様の方法で、取付部２２０Ｒも電線Ｗから巻き外すことができる。
【００５０】
まず、図７（ａ）に示すように、取付部２２０Ｌは、電線Ｗの周囲を螺旋状に這うように巻き付けられている。そして、巻き付けられた取付部２２０Ｌを正面から見たときに、取付部２２０Ｌは谷部と山部が連続した形状をしており、説明の都合上、先端側から各頂点に、頂部２２１Ｌ、頂部２２２Ｌ、頂部２２３Ｌ、頂部２２４Ｌ、頂部２２５Ｌ、頂部２２６Ｌと符号を付ける。
【００５１】
さらに、この取付部２２０Ｌを、電線Ｗの中心軸方向であって、取付部２２０Ｌの左側面から見た状態を図７（ｂ）に示す。この図７（ｂ）は、取付部２２０Ｌの螺旋部分が進行する方向を現した概念図であり、頂部２２６Ｌを始点として、時計回りに頂部２２１Ｌまで螺旋を描きながら、進んでいるのがわかる。なお、図７（ｂ）では、説明の都合上、各頂部が重ならないように、螺旋が広がる（拡径する）ように、表している。
【００５２】
そして、後述する取付部２２０Ｌの巻き外し作業では、この取付部２２０Ｌの螺旋方向とは逆方向（本実施では、反時計回り）に、回転棒１２０や回転棒１３０を回転させることで、頂部２２１Ｌから順次、取付部２２０Ｌを巻き外していくのである。
【００５３】
では、実際に、バインド巻付け及び巻外し器１００を用いて、取付部２２０Ｌを巻き外す作業について説明する。
【００５４】
まず、ユーザは、バインド巻付け及び巻外し器１００の連結部１１２に連結された操作棒Ｓを手で持ち、回転棒１２０の先端部１２１が電線Ｗに係止するように、バインド巻付け及び巻外し器１００を操作する。次に、この先端部１２１が、頂部２２１Ｌと電線Ｗとの間に差し込まれるように、バインド巻付け及び巻外し器１００を取付部２２０Ｌへ向けてスライドさせる。
【００５５】
この状態を、電線Ｗの中心軸方向であって、バインド巻付け及び巻外し器１００の左側面から見た状態（図７（ａ）の矢印Ｘ方向から見た状態）を、図８（ａ）に示す。
【００５６】
この図８（ａ）に示すように、電線Ｗと頂部２２１Ｌの間には、先端部１２１が差し込まれている。そして、電線Ｗに係止させた先端部１２１を中心に、バインド巻付け及び巻外し器１００を、取付部２２０Ｌの螺旋方向とは逆方向（本実施では、反時計回り）に移動させると、図８（ｂ）に示す状態となる。
【００５７】
そして、引き続き、バインド巻付け及び巻外し器１００を反時計回りに（螺旋方向とは逆方向に）、４分の１周だけ移動させると、図８（ｃ）に示す状態となり、さらに４分の１周だけ移動させると、図８（ｄ）に示す状態となる。すると、図８（ｂ）から（ｄ）にかけて、回転軸１１１で回転可能に軸支された回転棒１２０は、固定された電線Ｗの表面に接触しながら、反時計周りに回転する。
【００５８】
そして、反時計周りに回転する回転棒１２０の本体棒１２２によって、取付部２２０Ｌの頂部２２１Ｌから次第に、螺旋部分が、電線Ｗから引き起こされるように外されていくのである。そして、図８では、巻き外されていくのに伴って、バインド接点Ｐが電線Ｗの周りを反時計回りに移動しているのがわかる。
【００５９】
ここで、図８（ｄ）に示すように、ガイド部１１０の末端部１１３に電線Ｗが接触しているので、これ以上、反時計回りにバインド巻付け及び巻外し器１００を移動させることができない。そこで、バインド巻付け及び巻外し器１００を電線Ｗの下方へ向けて引っ張る。すると、図９（ａ）に示すように、電線Ｗはガイド部１１０の内周面１１４に向けて移動する。この内周面１１４は、螺旋方向とは逆向きに渦巻いている。
【００６０】
そして、ユーザは、電線Ｗが内周面１１４上を反時計回りに移動するように、バインド巻付け及び巻外し器１００を後側へ押し込むと、図９（ｂ）に示す状態となる。
【００６１】
引き続き、電線Ｗが内周面１１４上を反時計回りに移動するように、バインド巻付け及び巻外し器１００を下方に引っ張ると、図９（ｃ）に示す状態となり、さらに、電線Ｗが先端部１１５まで移動するように、バインド巻付け及び巻外し器１００を手前へ向けて引っ張ると、図９（ｄ）に示す状態となる。
【００６２】
すると、図９（ｂ）から（ｄ）にかけて、反時計周りに移動する本体棒１２２により、取付部２２０Ｌの螺旋部分が電線Ｗから引き起こされるようにして、巻き外されていくのである。また、巻き外されていくのに伴って、バインド接点Ｐが電線Ｗの周りを反時計回りに移動しているのがわかる。
【００６３】
ここで、電線Ｗが内周面１１４に沿って移動していくと、なぜ、本体棒１２２が反時計回りに移動して、取付部２２０Ｌの螺旋部分を電線Ｗから引き起こしていくのかについて説明する。
【００６４】
まず、図９（ｂ）に示す状態では、螺旋状の取付部２２０Ｌは、電線Ｗから完全に外されておらず、取付部２２０Ｌの一部は電線Ｗを這うように未だ巻き付いている。そのため、取付部２２０Ｌの一部であるバインド接点Ｐは、電線Ｗから完全に離れることが出来ず、バインド接点Ｐと電線Ｗの間に本体棒１２２を差し込んでも、図９（ｂ）に示すように、バインド接点Ｐは本体棒１２２に当接した状態を維持する。また、バインド接点Ｐは電線Ｗから一定の距離以上離れることが出来ないが、螺旋状であるから、自身の弾性により、電線Ｗの周方向へは移動することができる。
【００６５】
そして、この状態のままで、ユーザがバインド巻付け及び巻外し器１００を下方に引くと、電線Ｗが内周面１１４上を反時計回りに移動する。一方、バインド接点Ｐは、図９（ｂ）に示す位置から動かないので、本体棒１２２は、バインド接点Ｐに邪魔をされ、バインド巻付け及び巻外し器１００に伴って下方へ移動することができない。そのため、本体棒１２２は、先に移動した電線Ｗへ向けてしか移動できず、その結果、本体棒１２２は、電線Ｗの表面に接点Ｂで接触したまま、回転軸１１１を中心に、電線Ｗの周りを反時計回りに移動することになる。そして、本体棒１２２によって、バインド接点Ｐは電線Ｗの周方向へ反時計回りに移動させられ、巻き外されていくことになるのである。
【００６６】
同様に、図９（ｃ）に示す状態で、ユーザがバインド巻付け及び巻外し器１００を手前に引くと、電線Ｗが内周面１１４上を反時計回りに移動するが、一方、バインド接点Ｐは、図９（ｃ）に示す位置から動かないので、本体棒１２２は、バインド接点Ｐに邪魔をされ、バインド巻付け及び巻外し器１００に伴って手前に移動することができない。そのため、本体棒１２２は、先に移動した電線Ｗへ向けてしか移動できず、その結果、電線Ｗの表面に接点Ｂで接触したまま、回転軸１１１を中心に、電線Ｗの周りを反時計回りに移動することになる。そして、本体棒１２２によって、バインド接点Ｐは電線Ｗの周方向へ反時計回りに移動させられ、巻き外されていくことになるのである。
【００６７】
このように、ガイド部１１０は、末端部１１３から先端部１１５にかけて、電線Ｗの周囲を周回するような渦巻き形状をしているので、末端部１１３から先端部１１５までの長い区間に亘り、ガイド部１１０の周囲に沿って、電線Ｗを反時計回りに誘導することができる。
【００６８】
具体的には、図８（ａ）から（ｄ）に示すように、末端部１１３を移動開始地点として、電線Ｗをガイド部１１０の外周面に沿うように反時計回り（螺旋方向とは反対）に誘導し、次に、図９（ａ）から（ｄ）に示すように、電線Ｗをガイド部１１０の内周面に沿うように反時計回り（螺旋方向とは反対）に誘導することができる。
【００６９】
そして、図８から図９に示す移動の間、回転棒１２０は電線Ｗの軸周りに沿って反時計回りに移動するので、バインドの螺旋部分が巻き外されていくのである。つまり、ガイド部１１０は、電線の周囲を周回するような渦巻き形状をしているので、より多くの螺旋部分を巻き外していくことができる。
【００７０】
なお、図９（ｄ）に示す状態では、電線Ｗが先端部１１５に当接して、これ以上巻き外していくことが出来ない。そこで、図１０に示すように、一度、回転棒１２０を電線Ｗから離脱させ、回転棒１２０の代わりに、回転棒１３０を頂部２２１Ｌと電線Ｗとの間に差し込む。なお、図１０に示すように、取付部２２０Ｌは、頂部２２３Ｌまで巻き外されている。
【００７１】
この状態を、電線Ｗの中心軸方向であって、バインド巻付け及び巻外し器１００の左側面から見た状態（図１０の矢印Ｘ方向から見た状態）を、図１１（ａ）に示す。
【００７２】
図１１（ａ）に示すように、電線Ｗと頂部２２１Ｌの間には、回転棒１３０の本体棒１３２が差し込まれている。そして、バインド巻付け及び巻外し器１００を、取付部２２０Ｌの螺旋方向とは逆方向（本実施では、反時計回り）に移動させると、図１１（ｂ）に示す状態となる。そして、この移動に伴い、取付部２２０Ｌの螺旋部分が、本体棒１３２により、電線Ｗから引き起こされるようにして、巻き外されていく。
【００７３】
さらに、取付部２２０Ｌの螺旋方向とは逆方向にバインド巻付け及び巻外し器１００を移動させると、図１１（ｃ）に示す状態を経て、図１１（ｄ）に示す状態となる。取付部２２０Ｌの螺旋部分が、本体棒１３２により、電線Ｗから引き起こされるようにして巻き外されてゆき、図１１（ｄ）では、取付部２２０Ｌは完全に巻き外された状態となる。また、巻き外されていくのに伴って、バインド接点Ｐが電線Ｗの周りを反時計回りに移動しているのがわかる。
【００７４】
なお、図１１（ａ）から（ｄ）までは、螺旋状の取付部２２０Ｌは、電線Ｗから完全に外されておらず、取付部２２０Ｌの一部は電線Ｗを這うように未だ巻き付いている。そのため、バインド接点Ｐと電線Ｗの間に本体棒１３２を差し込んでも、バインド接点Ｐはそれ以上、電線Ｗから離れる事が無い。ただし、バインド接点Ｐは電線Ｗから一定の距離以上離れることが出来ないが、螺旋状であるから、自身の弾性により、電線Ｗの周方向へは移動することができる。
【００７５】
そして、取付部２２０Ｌの螺旋方向とは逆方向（本実施では、反時計回り）にバインド巻付け及び巻外し器１００を移動させると、電線Ｗは固定されて動かないので、本体棒１３２は電線Ｗと接点Ｂで常に接触しながら、電線Ｗの周りを反時計回りに回転することになる。そして、本体棒１３２が反時計回りに回転するので、バインド接点Ｐは本体棒１３２によって、電線Ｗの周方向へ反時計回りに引き起こされて、巻き外されていくのである。
【００７６】
なお、上記実施形態では、巻き外し又は巻き付け作業時に、使用する回転棒を回転棒１２０や回転棒１３０に適宜変更している。その理由は、巻き外し又は巻き付け作業時に、電線Ｗに係止しやすいように回転棒１２０や回転棒１３０を使い分け、又は、螺旋部分に回転棒が接触しやすいように、本体棒の長さが異なる回転棒１２０や回転棒１３０を使い分けているからである。ただし、回転棒の使い分けは、本実施形態に限定されず、バインドの種類や作業のし易さに応じて、回転棒１２０、回転棒１３０、回転棒１４０を適宜使い分けてもよい。また、バインド巻付け及び巻外し器１００は、すべての回転棒１２０、回転棒１３０、及び回転棒１４０を備えなくても、適宜使用する回転棒のみ備えてもよい。
【００７７】
さらに、上記実施形態では、巻き外し又は巻き付け作業の途中で、電線Ｗがガイド部１１０の先端部１１５に突き当たり、それ以上作業を続行できないので、一度回転棒を取り外して、再度作業を繰り返していた。しかしながら、本実施形態に限定されることなく、例えば、バインドの螺旋状の取付部が短いものであれば、電線Ｗがガイド部１１０の先端部１１５に突き当たった時点で、取付部を完全に巻き外し又は巻き付けることができるので、回転棒を取り外して作業を繰り返す必要はない。一方、バインドの螺旋状の取付部が長いものであれば、回転棒を取り外して、更に作業を繰り返す必要がある。
【００７８】
なお、本願発明のバインド巻付け及び巻外し器は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2016082833.tif 000003
【図２】
2016082833.tif 000004
【図３】
2016082833.tif 000005
【図４】
2016082833.tif 000006
【図５】
2016082833.tif 000007
【図６】
2016082833.tif 000008
【図７】
2016082833.tif 000009
【図８】
2016082833.tif 000010
【図９】
2016082833.tif 000011
【図１０】
2016082833.tif 000012
【図１１】
2016082833.tif 000013